(57)【要約】      （修正有）【課題】非常に実用的な水生生物育成用水溜め部に設けられる酸素供給装置を提供する。【解決手段】水生生物育成用水溜め部に設けられる酸素供給装置であって、前記水生生物育成用水溜め部の水を水面より上方まで汲み上げる水汲み上げ部２と、この水汲み上げ部２で汲み上げられた水を空気と接触させる空気接触部10を介して前記水生生物育成用水溜め部に戻す水戻し部３とを有し、前記水汲み上げ部２は、上部に回転駆動源４を有し周面に螺旋凹溝５ａが設けられた回転軸部５と、この回転軸部５に被嵌し下端部が前記水生生物育成用水溜め部の水内に配される筒状部６とから成るものである。【選択図】図１
2019010051.tif 000002
【特許請求の範囲】
【請求項１】
水生生物育成用水溜め部に設けられる酸素供給装置であって、前記水生生物育成用水溜め部の水を水面より上方まで汲み上げる水汲み上げ部と、この水汲み上げ部で汲み上げられた水を空気と接触させる空気接触部を介して前記水生生物育成用水溜め部に戻す水戻し部とを有し、前記水汲み上げ部は、上部に回転駆動源を有し周面に螺旋凹溝が設けられた回転軸部と、この回転軸部に被嵌し下端部が前記水生生物育成用水溜め部の水Ｗ内に配される筒状部とから成り、前記回転駆動源により前記回転軸部が回転した際、前記回転軸部の周面に設けられた螺旋凹溝により前記水生生物育成用水溜め部の水を前記筒状部内を通過させて汲み上げるように構成されていることを特徴とする水生生物育成用水溜め部に設けられる酸素供給装置。
【請求項２】
請求項１記載の水生生物育成用水溜め部に設けられる酸素供給装置において、前記空気接触部は、前記水汲み上げ部で汲み上げられた水の通過を許容し且つ通気可能な容体内に、固形充填材を多数収納した構成であることを特徴とする水生生物育成用水溜め部に設けられる酸素供給装置。
【請求項３】
請求項１，２いずれか１項に記載の水生生物育成用水溜め部に設けられる酸素供給装置において、前記水汲み上げ部及び前記水戻し部は水に浮く浮体に設けられていることを特徴とする水生生物育成用水溜め部に設けられる酸素供給装置。
【請求項４】
請求項１〜３いずれか１項に記載の水生生物育成用水溜め部に設けられる酸素供給装置において、前記水汲み上げ部の下端は水生生物育成用水溜め部の底に可及的に届く長さであることを特徴とする水生生物育成用水溜め部に設けられる酸素供給装置。
【発明の詳細な説明】
【技術分野】
【０００１】
本発明は、水生生物育成用水溜め部に設けられる酸素供給装置に関するものである。
【背景技術】
【０００２】
従来から、水生生物育成用水溜め部に設けられる酸素供給装置として、例えば特開平６−２５３７０３に開示される酸素供給装置（以下、従来例という）が提案されている。
【０００３】
この従来例は、池に浮くフロート上に駆動モーターの作動により回動する水車を回動自在に設け、この水車の下部が水中に浸漬されるように構成したものであり、この水車を回動させることで水を掻き上げ、掻き上げた水を空気と接触させることにより、可及的に酸素を取り込んだ水を戻すようにしたものである。
【先行技術文献】
【特許文献】
【０００４】
【特許文献１】特開平６−２５３７０３号公報
【発明の概要】
【発明が解決しようとする課題】
【０００５】
しかしながら、従来例は、前述した構造上、池の表層付近の水に酸素を供給することは可能であるが、池の底に酸素を供給することが出来ないのが現状である。
【０００６】
本発明は、前述した問題点を解消する、非常に実用的な水生生物育成用水溜め部に設けられる酸素供給装置を提供するものである。
【課題を解決するための手段】
【０００７】
添付図面を参照して本発明の要旨を説明する。
【０００８】
水生生物育成用水溜め部Ｐに設けられる酸素供給装置であって、前記水生生物育成用水溜め部Ｐの水Ｗを水面より上方まで汲み上げる水汲み上げ部２と、この水汲み上げ部２で汲み上げられた水Ｗを空気と接触させる空気接触部10を介して前記水生生物育成用水溜め部Ｐに戻す水戻し部３とを有し、前記水汲み上げ部２は、上部に回転駆動源４を有し周面に螺旋凹溝５ａが設けられた回転軸部５と、この回転軸部５に被嵌し下端部が前記水生生物育成用水溜め部Ｐの水Ｗ内に配される筒状部６とから成り、前記回転駆動源４により前記回転軸部５が回転した際、前記回転軸部５の周面に設けられた螺旋凹溝５ａにより前記水生生物育成用水溜め部Ｐの水Ｗを前記筒状部６内を通過させて汲み上げるように構成されていることを特徴とする水生生物育成用水溜め部に設けられる酸素供給装置に係るものである。
【０００９】
また、請求項１記載の水生生物育成用水溜め部に設けられる酸素供給装置において、前記空気接触部10は、前記水汲み上げ部２で汲み上げられた水Ｗの通過を許容し且つ通気可能な容体７内に、固形充填材８を多数収納した構成であることを特徴とする水生生物育成用水溜め部に設けられる酸素供給装置に係るものである。
【００１０】
また、請求項１，２いずれか１項に記載の水生生物育成用水溜め部に設けられる酸素供給装置において、前記水汲み上げ部２及び前記水戻し部３は水Ｗに浮く浮体１に設けられていることを特徴とする水生生物育成用水溜め部に設けられる酸素供給装置に係るものである。
【００１１】
また、請求項１〜３いずれか１項に記載の水生生物育成用水溜め部に設けられる酸素供給装置において、前記水汲み上げ部２の下端は水生生物育成用水溜め部Ｐの底に可及的に届く長さであることを特徴とする水生生物育成用水溜め部に設けられる酸素供給装置に係るものである。
【発明の効果】
【００１２】
本発明は上述のように構成したから、水生生物育成用水溜め部の底に酸素を供給することができ、しかも、この酸素の供給が風力エネルギーを利用して良好に行われるなど、環境に優しく非常に実用的な水生生物育成用水溜め部に設けられる酸素供給装置となる。
【図面の簡単な説明】
【００１３】
【図１】本実施例の説明図である。
【図２】本実施例の分解斜視図である。
【図３】本実施例の要部の動作説明図である。
【図４】本実施例の要部の動作説明図である。
【図５】本実施例の使用状態説明図である。
【発明を実施するための形態】
【００１４】
好適と考える本発明の実施形態を、図面に基づいて本発明の作用を示して簡単に説明する。
【００１５】
水汲み上げ部２により水生生物育成用水溜め部Ｐの水Ｗを水面より上方まで汲み上げ、この水汲み上げ部２で汲み上げた水Ｗを空気接触部10を介して水戻し部３により水生生物育成用水溜め部Ｐに戻す。
【００１６】
従って、酸素濃度が低くなる水生生物育成用水溜め部Ｐの水Ｗを汲み上げ、この汲み上げた水Ｗを直ちに水生生物育成用水溜め部Ｐに戻すのではなく、空気接触部10を介して戻すから、汲み上げた水は十分空気を含んだ状態となり、よって、水生生物育成用水溜め部Ｐの水Ｗに酸素を十分供給することができる。
【００１７】
また、本発明の水汲み上げ部２は、上部に回転駆動源４を有し周面に螺旋凹溝５ａが設けられた回転軸部５と、この回転軸部５を軸受し下端部が前記水生生物育成用水溜め部Ｐの水Ｗ内に配される筒状部６とから成り、前記回転駆動源４により前記回転軸部５が回転した際、前記回転軸部５の周面に設けられた螺旋凹溝５ａにより前記水生生物育成用水溜め部Ｐの水Ｗが前記筒状部６内を通過して上方まで汲み上げられるから、確実な水Ｗの汲み上げができ、しかも、回転軸部５及び筒状部６の長さを適宜設定し、酸素濃度の低い水生生物育成用水溜め部Ｐの底の水Ｗを汲み上げるようにすれば、酸素が少量の状態を可及的に解消することができる。
【実施例】
【００１８】
本発明の具体的な実施例について図面に基づいて説明する。
【００１９】
本実施例は、水生生物育成用水溜め部Ｐに設けられる酸素供給装置である。
【００２０】
尚、本実施例では、水生生物（例えば魚類、甲殻類など）を育成する水生生物育成用水溜め部Ｐをため池としているが、これに限られるものではない。
【００２１】
具体的には、水生生物育成用水溜め部Ｐの水Ｗを水面より上方所定位置まで汲み上げる水汲み上げ部２と、この水汲み上げ部２で汲み上げられた水Ｗを空気と接触させる空気接触部10を介して水生生物育成用水溜め部Ｐに戻す水戻し部３とを有している。
【００２２】
水汲み上げ部２は、上部に回転駆動源４を有し周面に螺旋凹溝５ａが設けられた回転軸部５と、この回転軸部５を軸受し下端部が水生生物育成用水溜め部Ｐの水Ｗ内に配される筒状部６とで構成されている。
【００２３】
回転駆動源４は、図１，２に図示したように適宜な合成樹脂製の部材で形成したものであり、上下に配される円形状の回転板状部材４ａと、この上下の回転板状部材４ａの間に架設され中心部から放射方向に長さを有する複数の羽根部材４ｂとで構成された風力回転構造体である。
【００２４】
従って、回転駆動源４は、風力エネルギーを利用して回転する。尚、回転駆動源４は太陽光エネルギー（太陽電池モジュール備えた太陽光発電システム）を利用して作動するモーターでも良い。
【００２５】
また、回転駆動源４の中央部には、回転軸部５の上端部に連結する連結部４ｃが設けられている。
【００２６】
回転軸部５は、図１，２に図示したように適宜な合成樹脂製の部材で形成したものであり、上端部には回転駆動源４に連結する連結棒部５ｂが設けられている。尚、回転軸部５は金属製でも良い。
【００２７】
この回転軸部５は、後述する浮体１に設けられる基体部９で回動自在に軸受されている。
【００２８】
また、回転軸部５は、連結棒部５ｂよりも下方部位の周面に下端まで螺旋凹溝５ａが設けられている。
【００２９】
この螺旋凹溝５ａは、回転駆動源４により回転軸部５が回転した際、後述する筒状部６内の水生生物育成用水溜め部Ｐの水Ｗが水面より上方所定位置まで上昇するように構成されている（図３，４参照）。
【００３０】
筒状部６は、図１，２に図示したように適宜な合成樹脂製の部材で形成された筒状体であり、対象となる水生生物育成用水溜め部Ｐの深さに応じて長さが設定されており、具体的には、対象となる水生生物育成用水溜め部Ｐの底部まで到達する長さに設定される。尚、筒状部６は金属製でも良く、また、前述した回転軸部５及びこの筒状部６を伸縮自在な構造としても良い。
【００３１】
この筒状部６は、回転軸部５に被嵌状態に設けられ、その内面が回転軸部５の外面と可及的に接近した状態で設けられている。
【００３２】
水戻し部３は、内部に外気を通気し且つ水汲み上げ部２で汲み上げられた水Ｗの通過を許容する容体７内に、固形充填材８を多数収納した構成である。
【００３３】
容体７は、図１，２に図示したように適宜な合成樹脂製の部材で形成した平面視円形の中空状体であり、上下に配される円形状の板状部材７ａと、この上下の板状部材７ａ同士間の側面部に網部材７ｂが設けられている。
【００３４】
従って、容体７は、側面部が網部材７ｂで構成されている為、内部に外気を通気し得ることになる。
【００３５】
また、この上下の板状部材７ａには、多数の通水孔７ａ’が設けられている。
【００３６】
従って、容体７は、水Ｗが上下に通過するように構成されている。
【００３７】
また、容体７内には多数の固形充填材８が収納されている。
【００３８】
この固定充填材８は、図１に図示したように適宜な合成樹脂製の部材で形成されたものであり、本実施例では、マツイマシン（株）製のカスケードミニリング（登録商標）を採用している。尚、固定充填材８としてはこれに限られるものではない。
【００３９】
また、本実施例では、前述した水汲み上げ部２及び水戻し部３は水Ｗに浮く浮体１に設けられている。
【００４０】
この浮体１は、図１，２に図示したように適宜な合成樹脂製の部材（発泡樹脂）で形成された環状板状体であり、前述した水汲み上げ部２及び水戻し部３と後述する基体部９を上部に設けた状態で水Ｗに浮く浮力に設定されている。
【００４１】
基体部は、図１に図示したように適宜な合成樹脂製の部材で形成した枠状体であり、上下に仕切る仕切り部の上部空間には前述した回転駆動源４が収納され、下部空間には前述した水戻し部３が収納されている。
【００４２】
本実施例は上述のように構成したから、水汲み上げ部２により水生生物育成用水溜め部Ｐの水Ｗを水面より上方所定位置まで汲み上げ、この水汲み上げ部２で汲み上げた水Ｗを空気接触部10を介して水戻し部３により水生生物育成用水溜め部Ｐに戻す（図５参照）。
【００４３】
従って、酸素濃度が低くなる水生生物育成用水溜め部Ｐの水Ｗを汲み上げ、この汲み上げた水Ｗを直ちに水生生物育成用水溜め部Ｐに戻すのではなく、空気接触部10を介して戻すから、汲み上げた水Ｗは十分空気を含んだ状態となり、よって、水生生物育成用水溜め部Ｐの水Ｗに酸素を十分供給することができる。
【００４４】
また、本実施例の水汲み上げ部２は、上部に回転駆動源４を有し周面に螺旋凹溝５ａが設けられた回転軸部５と、この回転軸部５を軸受し下端部が水生生物育成用水溜め部Ｐの水Ｗ内に配される筒状部６とから成り、回転駆動源４により回転軸部５が回転した際、回転軸部５の周面に設けられた螺旋凹溝５ａにより水生生物育成用水溜め部Ｐの水Ｗが筒状部６内を通過して水面より上方所定位置まで汲み上げられるから、風力エネルギーを利用した確実な水Ｗの汲み上げができ、しかも、回転軸部５及び筒状部６の長さを適宜設定し、酸素濃度の低い水生生物育成用水溜め部Ｐの底（例えば水深５０ｃｍ〜１ｍの部位）の水Ｗを汲み上げるようにすれば、酸素が少量の状態を可及的に解消することができる。
【００４５】
また、本実施例は、空気接触部10は、水汲み上げ部２で汲み上げられた水Ｗの通過を許容し且つ通気可能な容体７内に、固形充填材８を多数収納した構成であるから、確実に水Ｗに酸素を付与することができる。
【００４６】
また、本実施例は、水汲み上げ部２及び水戻し部３は水Ｗに浮く浮体１に設けられているから、適宜移動することができ、水生生物育成用水溜め部Ｐの任意の位置で水Ｗへの酸素の供給が行えることになる。
【００４７】
尚、本発明は、本実施例に限られるものではなく、各構成要件の具体的構成は適宜設計し得るものである。
【符号の説明】
【００４８】
Ｐ  水生生物育成用水溜め部
Ｗ  水
１  浮体
２  水汲み上げ部
３  水戻し部
４  回転駆動源
５  回転軸部
５ａ  螺旋凹溝
６  筒状部
７  容体
８  固形充填材
10  空気接触部
【図１】
2019010051.tif 000003
【図２】
2019010051.tif 000004
【図３】
2019010051.tif 000005
【図４】
2019010051.tif 000006
【図５】
2019010051.tif 000007